(57)【要約】【課題】吸い口つき包装体の複数を安定した状態で持ちやすく且つ外観をあまり覆わないで商品の外観の多くが見えるように集合させ、またコストを低く抑えることができる集合具及び集合方法を得る。【解決手段】内部に飲食品が収容された袋状の軟包装体本体１１と、この軟包装体本体の上端に首部１２を介して連続され前記飲食品を吸い出すための吸い口１３と、を有する複数の包装体１を、同一の高さ又は大体において同一の高さに揃えて集合させた状態で、集合具２の本体拘束部２２ａにより、前記集合させた複数の包装体１の各軟包装体本体１１をまとめて外側から拘束する一方、前記集合具２の首部拘束部２３ａにより、前記複数の包装体１の各首部１２をまとめて外側から拘束する。【選択図】  図４
2006335461.tif 000002
【特許請求の範囲】
【請求項１】
内部に飲食品が収容された袋状の軟包装体本体と、この軟包装体本体の上端に首部を介して連続され前記飲食品を吸い出すための吸い口と、を有する複数の包装体を、同一の高さ又は大体において同一の高さに揃えて集合させた状態で、前記集合させた複数の包装体の各軟包装体本体をまとめて外側から拘束する本体拘束部と、前記集合させた複数の包装体の各首部をまとめて外側から拘束する首部拘束部と、を折り曲げ可能な１枚の薄板に折り曲げ部を介して両側に穴を開けてそれぞれ形成して吸い口つき包装体の複数を集合させるようにしたことを特徴とする吸い口つき包装体の集合具。
【請求項２】
さらに集合した吸い口つき包装体を運ぶための把持部を前記薄板に形成したことを特徴とする請求項１に記載の吸い口つき包装体の集合具。
【請求項３】
前記薄板に前記首部拘束部又は前記本体拘束部との間に折り曲げ部を介してさらにもう１つの首部拘束部を形成したことを特徴とする請求項１又は請求項２に記載の吸い口つき包装体の集合具。
【請求項４】
請求項１から請求項３までのいずれか１項に記載の集合具を用い、内部に飲食品が収容された袋状の軟包装体本体と、この軟包装体本体の上端に首部を介して連続され前記飲食品を吸い出すための吸い口と、を有する複数の包装体を、同一の高さ又は大体において同一の高さに揃えて集合させた状態で、前記集合具の本体拘束部により、前記集合させた複数の包装体の各軟包装体本体をまとめて外側から拘束する一方、前記集合具の首部拘束部により、前記集合させた複数の包装体の各首部をまとめて外側から拘束して、吸い口つき包装体の複数を集合させることを特徴とする吸い口つき包装体の集合方法。
【請求項５】
前記集合体の本体拘束部により拘束する軟包装体本体の高さ位置を、首部に近い位置として、軟包装体本体の高さ方向の多くの部分を前記集合体から露出させることを特徴とする請求項４に記載の吸い口つき包装体の集合方法。
【発明の詳細な説明】
【技術分野】
【０００１】
この発明は、内部に飲食品が収容された袋状の軟包装体本体と、この軟包装体本体の上端に首部を介して連続され前記飲食品を吸い出すための吸い口と、を有する吸い口つき包装体の複数を集合させる集合具と、その集合具を用いて吸い口つき包装体の複数を集合させる方法に関する。
【背景技術】
【０００２】
この種の吸い口つき包装体入りの飲食品は、人が包装体を手で押しつぶして内部の飲食品を押し出しつつ吸い口から飲食品を吸うことで口に入るようになっていて、この種の包装体は栄養補助食品や嗜好品など幅広く利用されている。かかる吸い口つき包装体入り飲食品は、製造工程から多数がダンボール箱などに詰められた状態で小売店まで搬送されたあと、小売り段階で冷蔵庫やショーケース或いは陳列棚に１個ごと取り出されて個別に並べられるのが殆どである。
【０００３】
また、ある種のものは数個がケースに収容されて小売される形態をとっているが、この形態の場合のケースは上面、前面、背面、底面の全面と、左右の側面の下半面を囲んで厚紙で箱状にしたうえ、上面の一部を開口して、その開口部から吸い口と首部を上方に露出させている（非特許文献１）。
【非特許文献１】株式会社ロッテのホームページにおける「商品カタログ」のページのうち「アイス」の部分の商品名「クーリッシュ」のページ（インターネットのＵＲＬ：http://www.lotte.co.jp/products/ice/04.html)
【発明の開示】
【発明が解決しようとする課題】
【０００４】
しかしながら、ダンボール箱などに詰められた状態で搬送された小売店で冷蔵庫やショーケース或いは陳列棚に１個ごとに個別に並べられた吸い口つき包装体は、これを複数、例えば２〜４個程度購入して持ち帰るには袋などに入れないと持ちにくいし、また冷凍や冷蔵されたものであれば冷たくて直接手に持つことができない。一方、ビンやペットボトルに収容された飲食品を持ち運びするために、複数のビンやペットボトルの首部を引っかけて複数のそれらを運ぶようになっているクリップタイプのものや、６個の缶ビールなどの正面、背面、上面、底面を覆って包装して搬送しやすくしたものはあるが、首部を引っかけたクリップタイプのものは商品の安定性に欠けて一部の商品が脱落するおそれがあり、また缶ビールの包装例では商品の多くの部分を覆ってしまうことから、個別の商品の外観を工夫して商品価値を高めたものには適当ではなく、また厚紙を折ったうえに糊付けを施しているために手組による包装時に手間がかかる。
【０００５】
また、前記非特許文献１に記載のものも、厚紙を箱状に折って糊付けしているためコスト高になるし商品の多くの部分を覆うため、前記の缶ビールの包装例と同様に商品の外観を工夫して商品価値を高めたものには適当ではない。
そこで、この発明は、商品である吸い口つき包装体の複数を安定した状態で持ちやすく、しかも外観をあまり覆わないで商品の外観の多くが見えるように集合させ、且つ手間もあまりかからない包装体の集合具及び同集合方法を提供することを目的としている。
【課題を解決するための手段】
【０００６】
この発明のうち、吸い口つき包装体の集合具は、内部に飲食品が収容された袋状の軟包装体本体と、この軟包装体本体の上端に首部を介して連続され前記飲食品を吸い出すための吸い口と、を有する複数の包装体を、同一の高さ又は大体において同一の高さに揃えて集合させた状態で、前記集合させた複数の包装体の各軟包装体本体をまとめて外側から拘束する本体拘束部と、前記集合させた複数の包装体の各首部をまとめて外側から拘束する首部拘束部と、を折り曲げ可能な１枚の薄板に折り曲げ部を介して両側に穴を開けてそれぞれ形成して吸い口つき包装体の複数を集合させるようにしたことを特徴としたものである。
【０００７】
ここで、吸い口つき包装体は本体が軟包装体であり、上部に比べて底部の面積が広くなっていて包装体が単独でも安定した状態で立てられる、所謂スタンディングパウチのほか、上から下まで横断面積は同じ形態のものも含まれる。
この発明において複数の包装体を同一の高さ又は大体において同一の高さに揃えるということは、複数の包装体をテーブルその他の比較的平坦な面の上に立てた状態にすることの意味であって微視的に同一の高さに揃えることを要しない。各包装体が正確に同一の高さにあるときと、高さに若干の違いはあっても商品の取り扱い上、各包装体の高さが同一であると認識できる範囲にあるときの両方を含む意味である。
【０００８】
この発明では、さらに集合した吸い口つき包装体を運ぶための把持部が前記薄板に形成されているとよい。把持部は、集合具により集合された複数の包装体を持ち上げ且つ運ぶために当該集合具に形成される、人が手に持つための部分をいう。
また、この集合具は、前記薄板に前記首部拘束部又は前記本体拘束部との間に折り曲げ部を介してさらにもう１つの首部拘束部を形成するとよい。これにより首部拘束部が２つ形成されるから、複数の包装体の首部を二重に拘束することになり確実に拘束することができて安定性が増す。
【０００９】
また、方法の発明は、上記のいずれかの集合具を用い、内部に飲食品が収容された袋状の軟包装体本体と、この軟包装体本体の上端に首部を介して連続され前記飲食品を吸い出すための吸い口と、を有する複数の包装体を、同一の高さ又は大体において同一の高さに揃えて集合させた状態で、前記集合具の本体拘束部により、前記集合させた複数の包装体の各軟包装体本体をまとめて外側から拘束する一方、前記集合具の首部拘束部により、前記集合させた複数の包装体の各首部をまとめて外側から拘束して、吸い口つき包装体の複数を集合させることを特徴とする吸い口つき包装体の集合方法である。
【００１０】
ここで、前記集合体の本体拘束部により拘束する軟包装体本体の高さ位置を、首部に近い位置として、軟包装体本体の高さ方向の多くの部分を前記集合体から露出させるようにするとよい。首部に近い位置とは、軟包装体本体の高さ寸法の上部３０％の範囲内の位置という意味であり、この範囲の位置で本体拘束部による軟包装体本体を拘束すると、軟包装体本体の高さ寸法の下部７０％以上が集合具から露出するため、包装体の意匠の多くを需要者等に見せることができる一方、複数の軟包装体本体を確実に拘束することができて、集合具を使用して複数の包装体を安定した状態で持ち運ぶことができる。
【発明の効果】
【００１１】
吸い口つき包装体の複数を集合具によって集合させることができ、特に、首部拘束部で複数の包装体の首部を、本体拘束部で複数の包装体の本体を、いずれも外側から拘束するから、消費者が購入後に複数の包装体を安定した状態で確実に取り扱うことができる。
集合具に把持部が形成されると、ここを手に持って複数の包装体を持ち運ぶことができるから包装体が冷凍品や高熱品でも容易に持ち運びできる。
【発明を実施するための最良の形態】
【００１２】
図１は、吸い口つき包装体１を示す図であり、（ａ）が正面図、（ｂ）が側面図である。この吸い口つき包装体１は、内部に飲食品が収容された袋状の軟包装体本体１１と、この軟包装体本体１１の上端に首部１２を介して連続され前記飲食品を吸い出すための吸い口１３と、吸い口１３に螺合されたキャップ１４とからなる。首部１２は外周にフランジ状の張り出し部１２ａが形成されて全体として凹凸になっている。またキャップ１４の下縁もフランジ状に張り出していて前記首部１２の細い部分より径が大きくなっている。
【００１３】
軟包装体本体１１は金属箔等を合成樹脂でラミネートした可撓性ある薄板を袋状に形成してなり、内部にはシャーベット状に凍った飲食物が収納されていて、軟包装体本体１１を押し潰しながら吸い口１３を吸うことにより飲食物を口に入れることができるようになっている。なお、内部の飲食物に関しては前記に限られるものではない。この軟包装体本体１１は飲食物により下部の厚みが大きく上部の厚みが小さくなっていて、この形状に基づいて平坦面上に自ら直立できる、いわゆるスタンディングパウチとなっているが、この発明が適用できる軟包装体本体１１は、飲食物が収容された状態で下部の厚みが上部の厚みよりも大きくなっているものに限定されることはない。
【００１４】
図２は、吸い口つき包装体１を同一の高さに３つ寄せ集めた状態の平面図である。この状態で３つの前記包装体１を後述の集合具で集合させる。
図３がその集合具２の第一の形態の展開図である。この集合具２は折り畳み可能な薄板からなる。薄板としてはこの形態では紙を使用するが、薄板といっても紙としては厚めの紙を使うことになる。紙ではなく薄い合成樹脂板でもよい。かかる薄板に折り曲げ部２１を介して第１片２２と第２片２３が形成される。
【００１５】
第１片２２には、集合させた複数の包装体１の各軟包装体本体１１をまとめて外側から拘束する本体拘束部２２ａが形成されている。本体拘束部２２ａは第１片２２に開設された孔からなり、この孔は孔の中央部から見て凸状の弧と凹状の弧により、大体において銀杏の葉の形状をしていて、図２のように集合させた包装体１の軟包装体本体１１の上部の外周に嵌まる寸法になっている。本体拘束部２２ａには、集合された各軟包装体本体の集合状態などによってその形状を若干変更できるように切り込み２２ｂが付されている。
【００１６】
また、第２片２３には、集合させた複数の包装体１の各首部１２をまとめて外側から拘束する首部拘束部２３ａが形成されている。首部拘束部２３ａも孔からなり、概略三角形をなし、図２のように集合させた包装体１の首部１２の外周に嵌まり、且つ首部１２の前記フランジ部１２ａ又はキャップ１４の下側に引っ掛かる寸法になっている。この第２片２３にはさらに２つの舌片２４が折り曲げ線２４ａを介して形成され、これら両舌片２４とこれらの間の第２片２３の一部によって把持部２５が構成されている。さらに第２片２３の端部には折り曲げ線２３ｂが設けられる。
【００１７】
かかる集合具２は、図２のように集合された複数の包装体１の上から同包装体１の外周に第１片２２の本体拘束部２２ａを図４に示すように嵌めこむ。ここでは包装体１の軟包装体本体１１における首部１２に近い位置、具体的には軟包装体本体１１の高さのうち上から１５％程度の位置に本体拘束部２２ａを外嵌している。よって軟包装体１１の下部８５％程度が第１片２２の下方に露出していることになる。前記外嵌位置は前記の１５％程度ではなく３０％程度までは可能である。このため、個別の包装体１の外観の多くがそのまま見えることになる。こうして複数の包装体１は外周から拘束されて相互に離れることが防止される。
【００１８】
次に、集合具２は折り曲げ部２１を介して第２片２３が第１片２２の上方に折り返され、図５に示すように、集められた包装体１の首部１２に首部拘束部２３ａを外嵌する。ここで首部拘束部２３ａは、複数の首部１２の外側に、第２片２３に少しの変形を伴いながら首部拘束部２３ａが外嵌される寸法に形成されている。つまり、首部拘束部２３ａは複数の首部１２の外側に嵌めるには少し小さい寸法の孔となっていて、第２片２３を変形させながら外嵌されて、フランジ部１２ａ又はキャップ１４の下に引っ掛かる。首部拘束部２３ａにも本体拘束部２２ａと同様に切り込みがあれば前記変形が容易になる。
【００１９】
こうして、複数の包装体１の首部１２は外周から拘束されて相互に離れることが防止されるとともに、首部拘束部２３ａが首部１２に引っ掛かっているから、各包装体１が相対的に上下に移動することも抑制され、以て各包装体１は相互に拘束されて動きが一体になる。第２片２３の端部を折り曲げ線２３ｂで少し下向きに折り曲げれば、第２片２３全体の形状がおさまる。
【００２０】
また第２片２３では折り曲げ線２４ａで両舌片２４を下へ折り曲げることにより、一方の舌片２４に親指を掛け、他方の舌片２４に同じ手の中指及び／又は薬指を掛けて第２片２３を挟むように持つと集合具２を把持することができる。そして、集合具２には前記のように複数の包装体１が拘束されているから、集合具２を前記のように把持することにより全包装体１を一体に移動などの取り扱いが可能になる。
ここで、集合具２には前記の舌片２４は必ずしも必要はないが、これらがあれば集合具２を手で把持しやすいという効果はある。また、集合具２は１枚の厚紙を切り抜き且つ折っただけでできているため構造と使用方法が簡単でコストも低いという効果もある。
【００２１】
図６、図７は集合具２の第二の形態を示すもので、図６が展開図、図７が使用状態の説明図である。ここで第１片２２とそこに形成された本体拘束部２２ａは前記第一の形態と同一である。またこれに折り曲げ部２１を介して形成される第２片２３とそこに形成される首部拘束部２３ａも各部の形状に違いはあるものの実質的に同一である。ただ、この形態の首部拘束部２３ａには、その孔の形状を可変にするために切り込み２３ｃが付されている。
【００２２】
この第二の形態では、前記第２片２３に続いて第１片２２とは反対側に折り曲げ部２１を介して第１、２片２２、２３より幅が狭い部分を形成して、これを把持部２５としている。そして、この把持部２５に続いて第２片２３とは反対側に折り曲げ部２１を介して第３片２６を形成し、これにも首部拘束部２６ａを設けている。この首部拘束部２６ａは第２片２３の首部拘束部２３ａと同一の機能をもつものであるが孔の形状は首部拘束部２３ａと相違している。この首部拘束部２６ａにも孔の形状を可変にする切り込み２６ｃが付され、また第３片２６には摘まみ２６ｂを形成している。
かくしてこの形態では、本体拘束部２２ａのある第１片２２と、首部拘束部２３ａのある第２片２３と、把持部２５と、もう一つの首部拘束部２６ａのある第３片２６とが、これらの順に直線上に並んでいる。
【００２３】
この第二の形態では、第１片２２の本体拘束部２２ａで、寄せ集めた複数の包装体１の軟包装体本体１１を拘束し、第２片２３の首部拘束部２３ａで、複数の包装体１の首部１２を拘束する点は前記第一の形態と同様である。この第二の形態ではさらに図７に示すように、把持部２５を上にして第３片２６をその下に回り込ませたうえ、第３片２６の首部拘束部２６ａを複数の首部に外嵌させて、第３片２６が第２片２３の上面に当たるようにする。このときに摘まみ２６ｂを持って第３片２６を操作するとやり易い。また、把持部２５は両サイドを少し折って持ち易くしてもよいし、そのために折り込み易いように折れ線を付しておいてもよい。
【００２４】
これにより、包装体１の首部１２は、第２片２３と第３片２６の各首部拘束部２３ａ、２６ａで二重に拘束されるから、この集合具２により集合された包装体１は強く拘束されて集合状態が安定する。よって、集合具２をもって人が包装体１を振り回すような乱暴な扱いをしても複数の集合体が離れることがない。また、この形態では最上部に把持部２５が位置するから、消費者が把持するのに便利である。他の構成と作用は第一の形態と同様である。
【００２５】
図８、図９は集合具２の第三の形態を示すもので、図８が展開図、図９が使用状態の説明図である。この形態は第二の形態とは第１片２２と第２片２３の位置が入れ代わっただけのものである。よって第二の形態と同一の部分には同一の符号を付して説明は省略し、第二の形態と異なる部分だけ次に説明する。
そして、この第三の形態では、第１片２２を第２片２３と把持部２５との間という、長手方向の中途に形成したから、この中途の第１片２２を最初に複数の包装体１の外側に係合してその本体拘束部２２ａで軟包装体本体１１を拘束する。その後、第２片２３を折り返してその首部拘束部２３ａを複数の首部１２の外周に嵌め込む。次に第二の形態と同様に、把持部２５を上にして第３片２６をその下に回り込ませたうえ、第３片２６の首部拘束部２６ａを複数の首部に外嵌させて、第３片２６が第２片２３の上面に当たるようにする。
【００２６】
図１０、図１１は集合具２の第四の形態を示すもので、図８が展開図、図９が使用状態の説明図である。この形態は第２片２３と第３片２６との間に第１片２２を配置し、各片の連続方向に対する本体拘束部２２ａ、両首部拘束部２３ａ、２６ａの向きを第一から第三の形態とは変えている。また、両首部拘束部２３ａ、２６ａを同一の構造としている。第３片２６には舌片２４を折り曲げ可能に切り抜いていて、これらの間に把持部２５を形成するとともに、第２片２３には前記舌片２４が干渉しないように空隙２３ｄ，２３ｅを設けてある。
【００２７】
そこで、集合された包装体１の外周に、まずは第１片２２を嵌め込んで、その本体拘束部２２ａで各軟包装体本体１１を外側から拘束した後、第２片２３を折り曲げてこれを包装体１の首部１２の外側に嵌め込み、首部拘束部２３ａで前記首部１２を拘束する。次に第３片２６を折り曲げて、その首部拘束部２６ａで首部１２をさらに拘束する。また２つの舌片２４を下方に折り曲げて、これらに一方の手の指を差し込んで把持部２５を把持すると各包装体１を持ち運びすることができる。下方に折り曲げた舌片２４を前記の差し込んだ指で相互に近づけるように折り込むと第２片２３の前記空隙２３ｄ，２３ｅ間も前記第３片２６の把持部２５と併せて把持することができ、そうすると第２片２３と第３片２６を同時に把持できるから、需要者はさらにしっかりと複数の包装体１を取り扱うことができる。
各包装体１を集合具２から離すときには、前記の各形態において包装体１に集合具２を取り付けた手順の逆にして集合具２を取り外せばよいし、また各片２２、２３、２６の一部又は全部を破いてもよい。
【００２８】
以上の各形態は、３個の包装体１を集合させる場合について説明したが、２個の場合又は４個の場合も本発明を適用できるのは勿論である。その場合には、包装体の数に応じて各拘束部の形状と寸法に変更が加えられるのもまた勿論である。なお、包装体１の数は前記４個を超える数について集合させるものをこの発明は排除していない。また、上記の第二から第四の形態では第１片２２、第２片２３、第３片２６が直線上に並んだ状態を説明したが、これら３つの片２２、２３、２６は例えばＬ字状に並べられたものでもよい。
【図面の簡単な説明】
【００２９】
【図１】吸い口つき包装体の一例を示す説明図であり、（ａ）は正面図、（ｂ）は側面図である。
【図２】３つの包装体を集めた状態の平面図である。
【図３】集合具の第一の形態の展開図である。
【図４】図３の集合具を包装体に装着している途中の斜視図である。
【図５】図３の集合具を包装体に装着した状態の斜視図である。
【図６】集合具の第二の形態の展開図である。
【図７】図６の集合具を包装体に装着した状態の斜視図である。
【図８】集合具の第三の形態の展開図である。
【図９】図８の集合具を包装体に装着した状態の斜視図である。
【図１０】集合具の第四の形態の展開図である。
【図１１】図１０の集合具を包装体に装着した状態の斜視図である。
【符号の説明】
【００３０】
１      吸い口付き包装体
２      集合具
１１    軟包装体本体
１２    首部
１３    吸い口
１４    キャップ
２１    折り曲げ部
２２    第１片
２２ａ  本体拘束部
２３    第２片
２３ａ  首部拘束部
２５    把持部
２６    第３片
２６ａ  首部拘束部
【図１】
2006335461.tif 000003
【図２】
2006335461.tif 000004
【図３】
2006335461.tif 000005
【図４】
2006335461.tif 000006
【図５】
2006335461.tif 000007
【図６】
2006335461.tif 000008
【図７】
2006335461.tif 000009
【図８】
2006335461.tif 000010
【図９】
2006335461.tif 000011
【図１０】
2006335461.tif 000012
【図１１】
2006335461.tif 000013